(57)【要約】【課題】  画像記録処理装置における一次処理（撮影・記録など）時に、使用者が特別な操作を行うことなく、記録媒体に記録された画像データの誤消去を防止する。【解決手段】  装置本体に対して着脱可能な記録媒体に画像データを記録させる記録手段を備えた画像記録処理装置であって、前記装置本体に関連した第１の情報を記録した記録部と、画像データとこの画像データを生成した機器に関連した第２の情報とが記録された記録媒体から前記第２の情報を読み出すとともに前記記録部に記録された前記第１の情報を読み出す読み出し手段とを有し、前記記録手段は、前記第１の情報と前記第２の情報とが異なる場合に、前記装置本体で生成された画像データを前記第２の情報を記録した記録媒体に記録するのを禁止することを特徴とする画像記録処理装置。【選択図】  図７  
2005142635.tif 000002
【特許請求の範囲】
【請求項１】
撮像した静止画像及び或いは動画像を記録媒体に記録及び再生表示する画像記録処理装置であって、
被写体像を光電変換して画像データを出力する撮像手段と、該撮像手段からの画像データに本体情報を付加する本体情報付加手段と、画像データに書き換え禁止のプロテクトを施すプロテクト手段と、画像データを記憶する記憶手段と、記憶媒体の着脱を判断する着脱判断手段を有し、
前期記憶手段より読み出した画像データの本体情報が、現在の本体情報と異なる際には、前期プロテクト手段により前期記憶手段内の前期画像データにプロテクトを施すことを特徴する画像記録処理装置。
【請求項２】
撮像した静止画像及び或いは動画像を記録媒体に記録及び再生表示する画像記録処理装置であって、
被写体像を光電変換して画像データを出力する撮像手段と、該撮像手段からの画像データに本体情報を付加する本体情報付加手段と、画像データを記憶する記憶手段と、記憶媒体の着脱を判断する着脱判断手段と、複数の記憶媒体を有し、
前期記憶手段より読み出される画像データの本体情報が、現在の本体情報と異なる際には、前期記憶手段内の前期画像データを別記憶媒体へと記録することを特徴する画像記録処理装置。
【請求項３】
撮像した静止画像及び或いは動画像を記録媒体に記録及び再生表示する画像記録処理装置であって、
被写体像を光電変換して画像データを出力する撮像手段と、該撮像手段からの画像データに本体情報を付加する本体情報付加手段と、画像データを記憶する記憶手段と、記憶媒体の着脱を判断する着脱判断手段と、別装置へとデータ通信可能な通信手段を有し、
前期記憶手段より読み出される画像データの本体情報が、現在の本体情報と異なる際には、前期通信手段により前期記憶手段内の前期画像データを別装置へ通信することを特徴する画像記録処理装置。
【請求項４】
上記記憶手段により読み出される画像データの本体情報についての確認は、記憶媒体が該記憶媒体の着脱を判断する着脱判断手段により、画像記録処理装置へと装着が確認された直後に行う事を特徴とする請求項１、２，３記載の画像記録処理装置。
【請求項５】
装置本体に対して着脱可能な記録媒体に画像データを記録させる記録手段を備えた画像記録処理装置であって、
前記装置本体に関連した第１の情報を記録した記録部と、画像データとこの画像データを生成した機器に関連した第２の情報とが記録された記録媒体から前記第２の情報を読み出すとともに前記記録部に記録された前記第１の情報を読み出す読み出し手段とを有し、
前記記録手段は、前記第１の情報と前記第２の情報とが異なる場合に、前記装置本体で生成された画像データを前記第２の情報を記録した記録媒体に記録するのを禁止することを特徴とする画像記録処理装置。
【発明の詳細な説明】
【技術分野】
【０００１】
本発明は、静止画像や動画像を撮像、記録、再生する画像記録処理装置に係り、特に画像データの誤消去防止に関するものである。
【背景技術】
【０００２】
CCD等の撮像素子による撮影画像をデジタル記録するデジタルカメラにおいて、撮影画像の記録用として固体メモリ素子を有するメモリーカードが着脱可能な記憶媒体として用いられている。
このメモリーカードに記憶される撮影画像の画像データについては、不用意にデータ消去してしまわないように、記憶時または再生時において、使用者が任意の画像データにプロテクトをかけることで必要な画像データの誤消去の防止を行うものが知られている。
また、下記の特許文献１においては、画像形成装置（スキャナー等）において入力された画像を処理（合成等の画像の二次処理）した後、二次処理した画像に対してプロテクトを施して改ざん防止を行うようにした提案がなされている。
【特許文献１】特開２００１−３５９０４５号公報
【発明の開示】
【発明が解決しようとする課題】
【０００３】
しかしながら、上記従来の画像データへのプロテクトは任意で操作しなければならない為、その操作・作業の煩わしさがあった。
また、カメラ等の画像データの一次記録処理装置においては、メモリーカード自体の取り扱いの容易さ・汎用性から、他人への貸し借り等によって別機器・機種への使用がされやすく、その際に誤消去されてしまう危険性が最も高った。
また、上記特許文献１においては画像の二次処理の際に設定されるプロテクトに関してのみの提案であり、画像の一次記録を行う処理装置（カメラ）等の記録動作を行う際の画像保護に関しては一切記載されていない。
本発明は上述の事情に鑑みてなされたものであり、本発明の目的は、画像記録処理装置における一次処理（撮影・記録等）時に、使用者が煩わしい操作を行う必要なく、誤消去を防止することを可能とする画像記録処理装置を提供することにある。
【課題を解決するための手段】
【０００４】
上述の課題を解決し、目的を達成するために、本発明の請求項１記載の画像記録処理装置は、被写体像を光電変換して画像データを出力する撮像手段と、該撮像手段からの画像データに本体情報を付加する本体情報付加手段と、画像データに書き換え禁止のプロテクトを施すプロテクト手段と、画像データを記憶する記憶手段と、記憶媒体の着脱を判断する着脱判断手段を有し、前期記憶手段より読み出した画像データの本体情報が、現在の本体情報と異なる際には、前期プロテクト手段により前期記憶手段内の前期画像データにプロテクトを施すことを特徴する。
【０００５】
また、本発明の請求項２記載の画像記録処理装置は、被写体像を光電変換して画像データを出力する撮像手段と、該撮像手段からの画像データに本体情報を付加する本体情報付加手段と、画像データを記憶する記憶手段と、記憶媒体の着脱を判断する着脱判断手段と、複数の記憶媒体を有し、前期記憶手段より読み出される画像データの本体情報が、現在の本体情報と異なる際には、前期記憶手段内の前期画像データを別記憶媒体へと記録することを特徴する。
【０００６】
また、本発明の請求項３記載の画像記録処理装置は、被写体像を光電変換して画像データを出力する撮像手段と、該撮像手段からの画像データに本体情報を付加する本体情報付加手段と、画像データを記憶する記憶手段と、記憶媒体の着脱を判断する着脱判断手段と、別装置へとデータ通信可能な通信手段を有し、前期記憶手段より読み出される画像データの本体情報が、現在の本体情報と異なる際には、前期通信手段により前期記憶手段内の前期画像データを別装置へ通信することを特徴する。
【０００７】
また、請求項１、２，３記載の画像記録処理装置において、上記記憶手段により読み出される画像データの本体情報についての確認は、記憶媒体が該記憶媒体の着脱を判断する着脱判断手段により、画像記録処理装置へと装着が確認された直後に行う事を特徴とする。
【０００８】
装置本体に対して着脱可能な記録媒体に画像データを記録させる記録手段を備えた画像記録処理装置であって、前記装置本体に関連した第１の情報を記録した記録部と、画像データとこの画像データを生成した機器に関連した第２の情報とが記録された記録媒体から前記第２の情報を読み出すとともに前記記録部に記録された前記第１の情報を読み出す読み出し手段とを有し、前記記録手段は、前記第１の情報と前記第２の情報とが異なる場合に、前記装置本体で生成された画像データを前記第２の情報を記録した記録媒体に記録するのを禁止することを特徴とする画像記録処理装置。
【発明の効果】
【０００９】
本発明によれば、記録媒体が本体へ装着された際に、本体ＩＤとその記録媒体に記録されている画像データ上の本体ＩＤとで一致しているか否かを判断を行い、一致していなければその画像データに自動的にプロテクトを施すので、他で使用中であったような記録媒体が使われるような場合であっても、使用者に改めてプロテクト操作させることなく、誤消去してしまう危険性を少なくすることが可能となる。
また、別記録媒体、別機器へと通信可能である場合、バックアップとしての別記録を自動的に行うので、誤って消去されてしまっても問題となるようなことがなくなる。
【発明を実施するための最良の形態】
【００１０】
【実施例１】
【００１１】
以下、図面を参照して本発明の実施例１を説明する。図１は、本実施例の構成を示す図である。
【００１２】
図1において、１００は画像記録処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１４】
２０は画像処理回路であり、 Ａ／Ｄ変換器１６からのデータ或いはメモリ制御回路２２からのデータに対して所定の画素補間処理や色変換処理を行う。
【００１５】
また、画像処理回路２０においては、撮像した画像データを用いて所定の演算処理を行い、得られた演算結果に基づいてシステム制御回路５０が露光制御手段４０、測距制御手段４２に対して制御を行う公知のTTL（スルー・ザ・レンズ）方式のAF（オートフォーカス）処理、AE（自動露出）処理、ＥＦ（フラッシュプリ発光）処理を行っている。
【００１６】
さらに、画像処理回路２０においては、撮像した画像データを用いて所定の演算処理を行い、得られた演算結果に基づいてTTL方式のAWB（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダー機能を実現することが可能である。また、画像表示部２８は、システム制御回路５０の指示により任意に表示をON/OFFすることが可能であり、表示をOFFにした場合には画像記録処理装置１００の電力消費を大幅に低減することが出来る。
【００２１】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２２】
また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２４】
４８はフラッシュであり、AF補助光の投光機能、フラッシュ調光機能も有する。
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００２５】
５０は画像記録処理装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、画像記録処理装置１００の操作部近辺の視認し易い位置に単数或いは複数個所設置され、例えばLCDやLED、発音素子等の組み合わせにより構成されている。
【００２６】
また、表示部５４は、その一部の機能が光学ファインダー１０４内に設置されている。
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、画像データのプロテクト情報の表示、等がある。
【００２７】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００２８】
５６は電気的に消去・記録可能な不揮発性メモリであり、例えばEEPROM等が用いられる。なお、不揮発性メモリ５６には個々に割り振られる本体ＩＤ（シリアルナンバー）が書き込まれている。
【００２９】
６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３０】
ここで、これらの操作手段の具体的な説明を行う。６０はモードダイアルスイッチで、電源オフ、自動撮影モード、撮影モード、パノラマ撮影モード、再生モード、マルチ画面再生・消去モード、PC接続モード等の各機能モードを切換設定することが出来る。
【００３１】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００３２】
６４はシャッタースイッチSW2で、不図示のシャッターボタンの操作完了でONとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
６５は選択した任意の画像データにプロテクトを施すための指示を行わせるためのプロテクトボタンである。７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示部２８のＯＮ／ＯＦＦを設定する画像表示ＯＮ／ＯＦＦボタン、撮影直後に撮影した画像データを画像表示部で自動再生するクイックレビューＯＮ／ＯＦＦボタン等がある。
【００３４】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００３５】
８２はコネクタ、８４はコネクタ、８６はアルカリ電池やリチウム電池等の一次電池やNiCd電池やNiMH電池、Li電池等の二次電池、ACアダプター等からなる電源手段である。
【００３６】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３７】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３８】
インターフェース及びコネクタとしては、PCMCIAカードやCF（コンパクトフラッシュ）(登録商標)カード等の規格に準拠したものを用いて構成して構わない。
【００３９】
さらに、インタフェース９０及び９４、そしてコネクタ９２及び９６をPCMCIAカードやCF（コンパクトフラッシュ）カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００４０】
１０２は、画像記録処理装置１００のレンズ１０を含む撮像部を覆う事により、撮像部の汚れや破損を防止するバリアである保護手段である。１０４は光学ファインダであり、画像表示部２８による電子ファインダー機能を使用すること無しに、光学ファインダのみを用いて撮影を行うことが可能である。
【００４１】
また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４２】
１１０は通信手段で、RS232CやUSB、IEEE1394、P1284、SCSI、モデム、LAN、無線通信、等の各種通信機能を有する。１１２は通信手段１１０により画像記録処理装置１００を他の機器と接続するコネクタ或いは無線通信の場合はアンテナである。
【００４３】
２００はメモリカードやハードディスク等の記録媒体である。記録媒体２００は、半導体メモリや磁気ディスク等から構成される記録部２０２、画像記録処理装置１００とのインタフェース２０４、画像記録処理装置１００と接続を行うコネクタ２０６を備えている。
２１０はメモリカードやハードディスク等の記録媒体である。
【００４４】
記録媒体２１０は、半導体メモリや磁気ディスク等から構成される記録部２１２、画像記録処理装置１００とのインタフェース２１４、画像記録処理装置１００と接続を行うコネクタ２１６を備えている。
【００４５】
図２乃至図７を参照して、第１の実施例の動作を説明する。図２及び図３は本実施例の画像記録処理装置１００の主ルーチンのフローチャートを示す。図２及び図３を用いて、画像記録処理装置１００の動作を説明する。
【００４６】
電源投入により、システム制御回路５０はフラグや制御変数等を初期化し（Ｓ１０１）、画像表示部２８の画像表示をOFF状態に初期設定する（Ｓ１０２）。システム制御回路５０は、モードダイアル６０の設定位置を判断し、モードダイアル６０が電源OFFに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像記録処理装置１００各部の不要な電源を遮断する等の所定の終了処理を行った後（Ｓ１０４）、Ｓ１０３に戻る。
【００４７】
モードダイアル６０が電源OFF以外のその他のモードに設定されていたならば（Ｓ１０３）、システム制御回路５０は、電源制御手段８０により電池等により構成される電源８６の残容量や動作情況が画像記録処理装置１００の動作に問題があるか否かを判断し（Ｓ１０５）、問題があるならば表示部５４を用いて画像や音声により所定の警告表示を行った後（Ｓ１０６）、Ｓ１０３に戻る。
【００４８】
電源８６に問題が無いならば（Ｓ１０５）、システム制御回路５０は、記録媒体着脱検知手段９８にてコネクタ９２及び或いは９６に記録媒体２００或いは２１０が装着されているか否かを検知し（Ｓ１０７）、記録媒体のいずれも装着されていないと判断されたならば、記録媒体が装着されている事を示すフラグである装着フラグ（装着ｆｌｇ）を解除（０クリア）して（Ｓ１０８）、表示部５４を用いて画像や音声により所定の警告表示を行った後に（Ｓ１０９）、Ｓ１０３に戻る。
【００４９】
なお、装着フラグ（装着ｆｌｇ）の状態は、システム制御回路５０の内部メモリ或いはメモリ５２に記憶される。
【００５０】
また、記録媒体着脱検出手段９８においては、メカ的なスイッチによって記録媒体の装着の検出を行うと共にシステム制御回路５０が電気的信号を送り、その応答が適正なものか判断し、これにより適正に装着されているか否かを検知している。
【００５１】
記録媒体２００或いは２１０のいずれかが、装着されていることが検出されたならば（Ｓ１０７）、システム制御回路５０はシステム制御回路５０の内部メモリ或いはメモリ５２に記憶されている装着フラグ（装着ｆｌｇ）の状態の判断を行う（Ｓ１１０）。
【００５２】
装着フラグ（装着ｆｌｇ）が既に設定（＝１にセット）されており、記憶媒体の本体装着時における画像データ上の本体ＩＤ確認が済んでいるのならば（Ｓ１１０）、そのままＳ１１５に進む。
【００５３】
装着フラグ（装着ｆｌｇ）が設定されていないならば（Ｓ１１０）、装着フラグ（装着ｆｌｇ）の設定を行い（Ｓ１１１）、装着されている記憶媒体２００、２１０から画像データを読みこむ（Ｓ１１２）。
【００５４】
なお、画像データの読み込みは、記憶媒体に記憶されている全コマのデータに対して行い、画像データに対応した撮影情報・本体情報等の付帯情報についても全コマ分を読み込む。
【００５５】
続いて、読み込んだデータ内の本体情報である本体ＩＤ（シリアルナナンバー）が、不揮発性メモリ５６に記憶されている本体ＩＤと一致してないときに、画像データに対してプロテクトを施す本体ＩＤ一致チェック処理を実行する（Ｓ１１３）。
【００５６】
図７は上記本体ＩＤ一致チェック処理（Ｓ１１３）の詳細を示すフローチャートである。
読み込んだデータ内の本体情報である本体ＩＤ（シリアルナナンバー）が、記録媒体を装着した画像記録処理装置１００の本体ＩＤと一致しているか否かの判断を行う（Ｓ６０１）。
【００５７】
本体ＩＤと一致していなければ（Ｓ６０１）、画像データにプロテクトが施されているか否かの判断を行い（Ｓ６０２）、施されていたのならば、そのまま本体ＩＤ一致チェック処理ルーチンＳ１１３を終了する。プロテクトが施されていないのならば（Ｓ６０２）、本体ＩＤの不一致によるプロテクトを画像データに施して（Ｓ６０３）、本体ＩＤ一致チェック処理ルーチンＳ１１３を終了する。
【００５８】
なお、本体ＩＤとの不一致によるプロテクトは、任意の画像に対して行うプロテクトと区別がつくように画像データに付加され、またそのプロテクトの解除については、任意の画像のプロテクトに対する同操作で解除ができるようになっている。
【００５９】
また上記処理により、画像記録処理装置１００の本体ＩＤと、画像データ上に書き込まれている本体ＩＤとで不一致となっているような他からの借用または他機器での使用途中である可能性がある記憶媒体が使用される場合において、既に記録されている画像データにプロテクトを自動的に施すようになるので、誤操作による消去の危険性を少なくすることが可能となる。
【００６０】
本体ＩＤと一致しているのならば（Ｓ６０１）、画像データが本体ＩＤとの不一致でプロテクトが施されているか否か判断し（Ｓ６０４）、本体ＩＤとの不一致でプロテクトが施されている場合にはその画像データのプロテクトの解除を行って（Ｓ６０５）、本体ＩＤ一致チェック処理ルーチンＳ１１３を終了する。
【００６１】
本体ＩＤとの不一致でプロテクトが施されていない場合はそのまま本体ＩＤ一致チェック処理ルーチンＳ１１３を終了する。この処理により、一旦別機器による使用がなされたプロテクトが施された記録媒体を、再度使用するような場合においても、自動的に本体ＩＤとの不一致で施されたプロテクトを解除するので、同本体での再使用によってプロテクト解除を行うような手間を省くことができる。
【００６２】
本体ＩＤ一致チェック処理ルーチンＳ１１３の終了後、記録媒体に記録されている全データについての確認が終了しているか否かの判断を行い（Ｓ１１４）、終了していなけばＳ１１３へ戻り全データの確認が終了するまで繰り返す。全データの確認が終了しているのならばＳ１１５へと進む。
【００６３】
モードダイアル６０がその他のモードに設定されていたならば（Ｓ１１５）、システム制御回路５０は選択されたモードに応じた処理を実行し（Ｓ１１６）、処理を終えたならばＳ１０３へ戻る。モードダイアル６０が撮影モードに設定に設定されていたならば（Ｓ１１５）、システム制御回路５０は、表示部５４を用いて画像や音声により画像記録処理装置１００の各種設定状態の表示を行う（Ｓ１１７）。
【００６４】
続いて画像表示部２８の画像表示をON状態に設定し（Ｓ１１８）、さらに撮像した画像データを逐次表示するスルー表示状態に設定して（Ｓ１１９）、Ｓ１２０に進む。
【００６５】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００６６】
シャッタースイッチSW1が押されていないならば（Ｓ１２０）、Ｓ１０３に戻る。シャッタースイッチSW1が押されたならば（Ｓ１２０）、システム制御回路５０は画像表示部２８の表示状態をフリーズ表示状態に設定して（Ｓ１２１）、Ｓ１２２に進む。
【００６７】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００６８】
この測距・測光処理Ｓ１２２の詳細は図4を用いて後述する。測距・測光処理Ｓ１２２を終えたならば、システム制御回路５０は、画像表示部２８の表示状態をスルー表示状態に設定して（Ｓ１２３）、Ｓ１２４に進む。なお、Ｓ１２４でのスルー表示状態は、Ｓ１１９でのスルー状態と同じ動作状態である。
【００６９】
シャッタースイッチSW2が押されずに（Ｓ１２４）、さらにシャッタースイッチSW1も解除されたならば（Ｓ１２５）、Ｓ１０３に戻る。シャッタースイッチSW2が押されたならば（Ｓ１２４）、システム制御回路５０は画像表示部２８の表示状態を固定色表示状態に設定して（Ｓ１２６）、Ｓ１２７に進む。
【００７０】
固定色表示状態に於いては、画像表示メモリ２４に書き込まれた画像データの代わりに、差し替えた固定色の画像データを、メモリ制御回路２２、Ｄ／Ａ変換器２６を介して画像表示部２８により表示することにより、固定色の映像を電子ファインダーに表示している。
【００７１】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２７）。
【００７２】
この撮影処理Ｓ１２７の詳細は図5を用いて後述する。システム制御回路５０は、画像表示部２８の画像表示状態をクイックレビュー表示状態に設定し（Ｓ１２８）、Ｓ１２９に進む。
【００７３】
クイックレビュー状態においては、画像表示メモリ２４に転送された画像データを、メモリ制御回路２２、Ｄ／Ａ変換器２６を介して画像表示部２８の前述した撮影領域に表示することにより、撮像画像の自動再生を行う電子ファインダー機能を実現している。
【００７４】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１２９）。この記録処理Ｓ１２９の詳細は図6を用いて後述する。
【００７５】
システム制御回路５０は、シャッタースイッチＳＷ２が放されるまで（Ｓ１３０）、画像表示部２８におけるクイックレビュー表示を継続する。シャッタースイッチＳＷ２が放されたなら（Ｓ１３０）、Ｓ１３１へ進む。
【００７６】
システム制御回路５０は、画像表示部２８の表示状態をスルー表示状態に設定して（Ｓ１３１）、Ｓ１３２に進む。この場合、画像表示部２８でのクイックレビュー表示によって撮影画像を確認した後に、次の撮影のために撮像した画像データを逐次表示するスルー表示状態にすることが出来る。
【００７７】
シャッタースイッチSW1が押された状態であったならば（Ｓ１３２）、システム制御回路５０は、Ｓ１２４に戻って次の撮影に備える。シャッタースイッチSW1が放された状態であったならば（Ｓ１３２）、システム制御回路５０は、一連の撮影動作を終えてＳ１０３に戻る。
【００７８】
図4は、図3のＳ１２２における測距・測光処理の詳細なフローチャートを示す。
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【００７９】
なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【００８０】
画像処理回路２０での演算結果を用いて、システム制御回路５０は露出（AE）が適正と判断されるまで（Ｓ２０２）、露光制御手段４０を用いてAE制御を行う（Ｓ２０３）。
AE制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００８１】
露出（AE）が適正と判断したならば（Ｓ２０２）、測定データ及び或いは設定パラメータをシステム制御回路５０の内部メモリ或いはメモリ５２に記憶する。画像処理回路２０での演算結果及びAE制御で得られた測定データを用いて、システム制御回路５０はホワイトバランス（AWB）が適正と判断されるまで（Ｓ２０６）、画像処理回路２０を用いて色処理のパラメータを調節してAWB制御を行う（Ｓ２０７）。
【００８２】
ホワイトバランス（AWB）が適正と判断したならば（Ｓ２０６）、測定データ及び或いは設定パラメータをシステム制御回路５０の内部メモリ或いはメモリ５２に記憶する。
【００８３】
AE制御及びAWB制御で得られた測定データを用いて、システム制御回路５０は測距（AF）が合焦と判断されるまで（Ｓ２０８）、測距制御手段４２を用いてAF制御を行う（Ｓ２０９）。
【００８４】
測距（AF）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【００８５】
図5は、図3のＳ１２７における撮影処理の詳細なフローチャートを示す。システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【００８６】
フラッシュ・フラグによりフラッシュ４８が必要か否かを判断し（Ｓ３０３）、必要な場合はフラッシュを発光させる（Ｓ３０４）。システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【００８７】
なお、撮影画像データをメモリ３０に書き込む際には、システム制御回路５０が、測光・測距情報等の撮影情報ともに不揮発性メモリ５６に記憶されている本体ＩＤを読み出して、撮影画像データに付帯情報として加えた画像データとして書き込みが行われる。
【００８８】
また、設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
システム制御回路５０は、メモリ３０から画像データを読み出し、メモリ制御回路２２を介して画像表示メモリ２４に表示画像データの転送を行う（Ｓ３１１）。一連の処理を終えたならば、撮影処理ルーチンＳ１２７を終了する。
【００８９】
図6は、図3のＳ１２９における記録処理の詳細なフローチャートを示す。システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【００９０】
そして、メモリ３０に書き込まれた画像データを読み出して、設定したモードに応じた画像圧縮処理を圧縮・伸長回路３２により行った後（Ｓ４０２）、インタフェース９０或いは９４、コネクタ９２或いは９６を介して、メモリカードやコンパクトフラッシュカード等の記録媒体２００或いは２１０へ圧縮した画像データの書き込みを行う（Ｓ４０３）。
記録媒体への書き込みが終わったならば、記録処理ルーチンＳ１２９を終了する。
【００９１】
以上説明したしように、第一の実施形態によれば、撮影画像データに付帯情報として本体ＩＤを付加して記録媒体へと記録させ、また記録媒体が本体へ装着された際に、記録媒体に記録されている画像データの本体ＩＤが、装着している本体ＩＤと一致していなければ、その画像データに対しては自動的にプロテクトが施されるので、同一の記録媒体内に記録されている別機器による画像データに対して、自動的にプロテクトが施されることになり、他からの借用または他機器での使用途中である可能性がある記憶媒体が使用される場合において、誤消去の危険性を少なくすることが可能となる。
【実施例２】
【００９２】
次に、本発明の第二の実施例について説明をおこなう。本発明の実施例２における構成については、図１と同一であるので説明は割愛する。また第二の実施例においては、第一の実施例の図２中のＳ１１３の本体ＩＤ一致チェック処理ルーチンが異なるだけであるため、それ以外のルーチンについての説明は省略する。
【００９３】
図８は、第二の実施例における本体ＩＤ一致チェック処理ルーチンの詳細なフローチャートである。読み込んだデータ内の本体情報である本体ＩＤ（シリアルナナンバー）が、記録媒体を装着した画像記録処理装置１００の本体ＩＤと一致しているか否かの判断を行う（Ｓ７０１）。
【００９４】
本体ＩＤと一致していれば（Ｓ７０１）、本体ＩＤ一致チェック処理ルーチンＳ１１３を終了する。本体ＩＤと一致していなければ（Ｓ７０１）、記録媒体着脱検知手段９８により別記憶媒体が画像記録処理装置１００に装着されているか否かを判断を行い（Ｓ７０２）、別記憶媒体が装着されていると判断されたなら（Ｓ７０２）、その記録媒体へと画像データの記録を行ってバックアップをとる（Ｓ７０３）。
【００９５】
別記憶媒体が装着されていないと判断されたなら（Ｓ７０２）、そのまま本体ＩＤ一致チェック処理ルーチンＳ１１３を終了する。
【００９６】
この処理により、画像記録処理装置１００の本体ＩＤと画像データ中に記録されている本体ＩＤと一致しない場合、記録媒体が装着された時点でその不一致となる画像データについては、自動的に予め別記録媒体に記録してバックアップをとっているので、他機器による画像データを誤って消去してしまっても問題となることがない。
次に、本発明の第三の実施例について説明をおこなう。
【００９７】
本発明の第二の実施例における構成については、図１と同一であるので説明は割愛する。
また第三の実施例においては、第一の実施例の図２中のＳ１１３の本体ＩＤ一致チェック処理ルーチンが異なるだけであるため、それ以外のルーチンについての説明は割愛する。
図９は、第三の実施例における本体ＩＤ一致チェック処理ルーチンの詳細なフローチャートである。
【００９８】
読み込んだデータ内の本体情報である本体ＩＤ（シリアルナナンバー）が、記録媒体を装着した画像記録処理装置１００の本体ＩＤと一致しているか否かの判断を行う（Ｓ８０１）。
【００９９】
本体ＩＤと一致していれば（Ｓ８０１）、本体ＩＤ一致チェック処理ルーチンＳ１１３を終了する。本体ＩＤと一致していなければ（Ｓ８０１）、通信手段１１０により他の機器との接続が確保されているか否かの判断をおこない（Ｓ８０２）、通信可能な状態である判断されなければ、本体ＩＤ一致チェック処理ルーチンＳ１１３を終了する。
【０１００】
通信可能であると判断されたのならば、他の機器へ画像データの通信をおこない、他機器へと画像データの記録を行わせ（Ｓ８０３）、その後、本体ＩＤ一致チェック処理ルーチンＳ１１３を終了する。
【０１０１】
この処理により、画像記録処理装置１００の本体ＩＤと画像データ中に記録されている本体ＩＤと一致しない場合、記録媒体が装着された時点でその不一致となる画像データについては、他の機器と通信可能な状態であった場合には、他の機器へと自動的に記録してバックアップをとることになるので、他機器による記録された画像データを誤って消去してしまっても問題となることがない。
【図面の簡単な説明】
【０１０２】
【図１】本実施例における画像記録処理装置の主要構成を示したブロック図
【図２】本実施例１における画像記録処理装置の動作を示す主ルーチンのフローチャート
【図３】本実施例１における画像記録処理装置の動作を示す主ルーチンのフローチャート
【図４】本実施例における測距・測光ルーチンのフローチャート
【図５】本実施例における撮影処理ルーチンのフローチャート
【図６】本実施例における記録処理ルーチンのフローチャート
【図７】本実施例１における本体ＩＤ一致チェック処理ルーチンのフローチャート
【図８】本実施例２における本体ＩＤ一致チェック処理ルーチンのフローチャート
【図９】本実施例３における本体ＩＤ一致チェック処理ルーチンのフローチャート
【符号の説明】
【０１０３】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御回路
４２  測距制御回路
４４  ズーム制御回路
４６  バリア制御回路
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６５  プロテクトボタン
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像記録処理装置
１０２  バリア
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
３１２  シャッター
３２０  インタフェース
３２２  コネクタ
３４０  露光制御手段
３４２  測距制御手段
３４４  ズーム制御手段
３５０  レンズシステム制御回路
【図１】
2005142635.tif 000003
【図２】
2005142635.tif 000004
【図３】
2005142635.tif 000005
【図４】
2005142635.tif 000006
【図５】
2005142635.tif 000007
【図６】
2005142635.tif 000008
【図７】
2005142635.tif 000009
【図８】
2005142635.tif 000010
【図９】
2005142635.tif 000011